(57)【要約】【課題】公開しなければ第三者が知ることが困難なダイヤルインサービスを用いた電話番号と、改ざんの困難な発信者番号とを利用することで、外出先から転送先相手番号を設定変更する際のセキュリティ性を高める。【解決手段】着番号を登録する着番号登録テーブルを備えており、制御装置１０１は、任意の発信者番号から、着番号登録テーブルに登録されている着番号に外線着信があった後、予め設定された一定時間の間に、任意の発信者番号から着番号登録テーブルに登録されている着番号に外線着信があった場合には、当該任意の発信者番号を転送先相手番号として設定する。【選択図】図１
2008131287.tif 000002
【特許請求の範囲】
【請求項１】
受信したファクシミリ情報を予め設定している他の相手番号に自動転送する機能を備えたファクシミリ装置において、
着番号を登録する着番号登録テーブルと、
前記自動転送機能の転送先相手番号の設定を変更する設定変更手段とを備えており、
前記設定変更手段は、任意の発信者番号から前記着番号登録テーブルに登録されている着番号に着信があった後、予め設定された一定時間の間に、任意の発信者番号から前記着番号登録テーブルに登録されている着番号に着信があった場合には、当該任意の発信者番号を転送先相手番号として設定変更することを特徴とするファクシミリ装置。
【請求項２】
受信したファクシミリ情報を予め設定している他の相手番号に自動転送する機能を備えたファクシミリ装置において、
発信者番号を登録する発信者番号登録テーブルと、
着番号を登録する着番号登録テーブルと、
前記自動転送機能の転送先相手番号の設定を変更する設定変更手段とを備えており、
前記設定変更手段は、前記発信者番号登録テーブルに登録されている発信者番号から前記着番号登録テーブルに登録されている着番号に着信があった後、予め設定された一定時間の間に、任意の発信者番号から前記着番号登録テーブルに登録されている着番号に着信があった場合には、当該任意の発信者番号を転送先相手番号として設定変更することを特徴とするファクシミリ装置。
【請求項３】
前記着番号が、ダイヤルインサービスに対応したダイヤルイン番号であることを特徴とする請求項１または請求項２に記載のファクシミリ装置。
【発明の詳細な説明】
【技術分野】
【０００１】
本発明は、受信したファクシミリ情報を予め設定している他の相手番号に自動転送する機能を備えたファクシミリ装置に関する。
【背景技術】
【０００２】
従来から、自動転送機能を備えたファクシミリ装置が提供されており、このような自動転送機能において、受信したファクシミリ情報の転送先の設定を遠隔地から簡易かつ確実に行うことのできるファクシミリ装置が提案されている（例えば、特許文献１参照）。
【０００３】
このファクシミリ装置は、回線閉結後にＤＴＭＦ信号により受信したＩＤ（暗証番号）と、予め登録されている転送先番号の変更を許可するＩＤ（暗証番号）とが一致した場合に、転送先番号をそのとき受信した発呼元（発信者）電話番号へ変更する機能を備えている。
【特許文献１】特開２００６−２００６０号公報
【発明の開示】
【発明が解決しようとする課題】
【０００４】
上記特許文献１のファクシミリ装置による変更手法は、一般的な留守番電話機における留守録音を外出先から確認する機能と同様に、簡易的な４桁前後の暗証番号による認証のみを行うため、機能を知る第三者に勝手に設定を変更される危険性があるといった問題があった。
【０００５】
本発明はかかる問題点を解決すべく創案されたもので、その目的は、公開しなければ第三者が知ることが困難なダイヤルインサービスを用いた電話番号と、改ざんの困難な発信者番号とを利用することで、外出先から転送先相手番号を設定変更する際のセキュリティ性を高めたファクシミリ装置を提供することにある。
【課題を解決するための手段】
【０００６】
上記課題を解決するため、本発明のファクシミリ装置は、受信したファクシミリ情報を予め設定している他の相手番号に自動転送する機能を備えたファクシミリ装置において、着番号を登録する着番号登録テーブルと、前記自動転送機能の転送先相手番号の設定を変更する設定変更手段とを備えており、前記設定変更手段は、任意の発信者番号から前記着番号登録テーブルに登録されている着番号に着信があった後、予め設定された一定時間の間に、任意の発信者番号から前記着番号登録テーブルに登録されている着番号に着信があった場合には、当該任意の発信者番号を転送先相手番号として設定変更することを特徴としている。また、本発明のファクシミリ装置は、受信したファクシミリ情報を予め設定している他の相手番号に自動転送する機能を備えたファクシミリ装置において、発信者番号を登録する発信者番号登録テーブルと、着番号を登録する着番号登録テーブルと、前記自動転送機能の転送先相手番号の設定を変更する設定変更手段とを備えており、前記設定変更手段は、前記発信者番号登録テーブルに登録されている発信者番号から前記着番号登録テーブルに登録されている着番号に着信があった後、予め設定された一定時間の間に、任意の発信者番号から前記着番号登録テーブルに登録されている着番号に着信があった場合には、当該任意の発信者番号を転送先相手番号として設定変更することを特徴としている。ここで、前記着番号は、ダイヤルインサービスに対応したダイヤルイン番号である。
【０００７】
すなわち、使用者（発信者）は、転送先として設定したい電話番号が割り振られている通信機器を用いて、一定時間内（例えば、３０秒等）に、着番号登録テーブルに登録されている着番号に対して２回電話をかけるといった極めて簡単な操作で、外出先から、ファクシミリ情報の自動転送先を前記通信機器の電話番号に設定することが可能となる。この場合、他人に公開していないダイヤルイン番号（着番号）と、自分しか使用できない携帯電話などの電話番号とを使用することで、暗証番号を覚えていなくても、外出先から、ファクシミリ情報の自動転送先の設定が行え、かつ、第三者からの悪用の可能性を極めて低いレベルに抑えることが可能となる。
【発明の効果】
【０００８】
本発明は上記のように構成したので、転送先として設定したい電話機等から、一定時間内に予め登録されている着番号に対して２回電話をかけるといった極めて簡単な操作で、外出先から、ファクシミリ情報の自動転送先の電話番号を設定することができる。この場合、他人に公開していないダイヤルイン番号（着番号）と、自分しか使用できない携帯電話などの電話番号とを使用することで、暗証番号を覚えていなくても、外出先から、ファクシミリ情報の自動転送先の設定が行え、かつ、第三者からの悪用の可能性を極めて低いレベルに抑えることができる。
【発明を実施するための最良の形態】
【０００９】
以下、本発明の実施の形態について、図面を参照して説明する。
【００１０】
本実施形態のファクシミリ装置は、１回線に複数の電話番号が付与されるダイヤルインサービスに対応している。すなわち、ダイヤルインサービスとは、１つの契約回線番号に対して１つ以上の追加番号（ダイヤルイン番号）を認めるサービスであり、着信側には、この番号が着番号として通知されるようになっている。
【００１１】
図１は、本実施形態に係るファクシミリ装置の電気的構成を示す機能ブロック図である。
【００１２】
本実施形態のファクシミリ装置１００は、公衆回線網３００と網制御装置１１１を介して接続されている。網制御装置１１１は、公衆回線網３００の状況を監視すると共に、回線をモデム１１０側とコードレス用制御回路１１２側とに切り替える。モデム１１０は、画像のディジタル信号を公衆回線網３００に適したアナログ信号に変調すると共に、公衆回線網３００のアナログ信号を印刷用のディジタル信号に復調する。
【００１３】
印刷装置１４０は、受信した画像または画像読取装置１４１によって読み取られた画像の印刷を行うユニットであり、サーマル方式、熱転写方式、インクジェット方式等が用いられる。画像読取装置１４１は、送信やコピーのための原稿の読み取り装置であり、レンズとＣＣＤラインセンサとの組合せによる縮小読み取り方式、ロッドレンズアレーを用いた密着センサー方式などが用いられる。
【００１４】
制御装置１０１は、記憶装置１０２に記憶されているプログラムに従い、キー制御部１３０を介した操作キー１３１からの入力情報、ファクシミリ装置１００の各ユニットからの状態を示す情報、公衆回線網３００からの信号等の情報を元に、ファクシミリ装置１００全体の動作を決定し、ファクシミリ装置１００全体に指令を与える。
【００１５】
記憶装置１０２は、ファクシミリ装置を制御するプログラムの他、ユーザ設定値や受信画像データなど、停電時も保存すべき情報の格納に用いられる。
【００１６】
操作キー１３１は、使用者が情報や指示を装置に入力するためのユニット、表示装置１２１は、表示制御部１２０からの制御により、使用者に情報を表示したりガイダンス表示を行うユニットであり、これら表示装置１２１及び操作キー１３１を用いて、ファクシミリ装置１００の各種パラメータの設定が可能となる。
【００１７】
さらに、表示装置１２１には、受信した画像や画像読取装置１４１で読み取った画像が表示され、使用者はこの画像を見ることにより、その後の処理方法を指示する。これにより、不必要な印刷を防ぎ、あるいは、内容によって送信を指示するなど、ユーザフレンドリネスを向上させることが可能となる。
【００１８】
本実施形態のファクシミリ装置１００は、１台あるいは複数台のコードレス子機（図示省略）と接続が可能である。コードレス用制御回路１１２は、コードレス子機との通信を制御する装置であり、コードレス子機との接続のための通信路の探索、接続の確立、通話、電波発信、受信のためのチューナ等を含んでいる。アンテナ１１３は、コードレス子機との送受信を行う電波の発信、受信を行う。
【００１９】
ネットワークインターフェイスカード(NIC)１５０は、ＬＡＮ接続を行うためのもので、接続端子１５１にＬＡＮケーブルを接続する。
【００２０】
ＵＳＢ制御部１５２は、ＵＳＢ接続端子１５３に接続されたデジタルカメラとのデータのやりとりや、メモリーカードスロット１５５に挿入された各種メモリーカードのデータを、カードコントローラ１５４経由で読み書きする役割を担う。
【００２１】
また、モデム１１０は、後述する発信者番号や着番号などの情報を取得する番号情報取得機能を備えており、着信時に公衆回線網３００から送信されてくる発信者番号と着番号の情報を取得して、制御装置１０１に入力する。
【００２２】
制御装置１０１は、着信時にモデム１１０から取得した発信者番号と着番号とを解析し、本発明の特徴である転送先相手番号の設定処理を実施する。
【００２３】
図２は、上記構成のファクシミリ装置の外観図であり、（ａ）は正面側より見た斜視図、（ｂ）は背面図である。
【００２４】
装置本体２００の上面２０１は原稿台２０２となっており、この原稿台２０２の後端側を回動起点として、原稿台２０２を被覆するように原稿カバー２０３が開閉可能に設けられている。また、装置本体上面２０１の右側には、表示装置１２１である液晶ディスプレイと、操作キー１３１とが配置されている。表示装置１２１は傾倒可能となっている。従って、必要ないときには、装置本体上面２０１に重ねるようにして倒しておき、必要なときに、図２に示すように立てればよい。
【００２５】
また、装置本体２００の前面２１０には用紙排出口２１１が設けられており、この用紙排出口２１１の上部にプリンタカバー２１２が配置されている。また、用紙排出口２１１の前方には、引き出し可能な用紙トレイ２１３が配置されており、この用紙トレイ２１３には、折り畳み可能または引き出し可能な用紙補助トレイ２１４が設けられている。さらに、装置本体前面２１０の左側には、デジタルカメラの接続が可能なＵＳＢ接続端子１５３、メモリーカードの着脱が可能なメモリーカードスロット１５５、及びカードアクセスランプ２１５が設けられている。
【００２６】
また、装置本体２００の正面より見て右側面２２０には、アンテナ１１３と、内蔵のスピーカ２２１とが配置されている。
【００２７】
さらに、装置本体２００の背面２３０には、Ｕターンユニット２３１が配置されており、このＵターンユニット２３１にＬＡＮ接続端子１５１、回線接続端子１１４、及び電源コード２４１を接続するための電源端子２３２が配置されている。
【００２８】
図３は、記憶装置１０２に格納されている発信者番号登録テーブルと着番号登録テーブルの一例を示している。セキュリティを高めることを考慮すると、着番号の登録は１つだけあれば十分であるが、使用者の使い方に対する柔軟性を高めるため、本実施形態では、複数の番号の設定も可能としている。発信者番号についても、登録番号が少ない方がセキュリティは高まるが、例えば使用者自身の携帯電話番号と、よく出張する出先の電話番号、というような設定方法も可能にするため、複数の番号設定を可能としている。この例では、発信者番号登録テーブルに、「０９０１２３４５６７８」と「０６１１２２３３４４」の２つの電話番号が登録されており、着番号登録テーブルに、「０７４２５５６７８９」と「０７４２５５６７９０」の２つの番号が登録されている。
【００２９】
次に、上記構成のファクシミリ装置１００において、外出先からの転送先相手番号の設定処理（若しくは、設定変更処理）について、具体的に実施例を挙げて説明する。
【実施例１】
【００３０】
図４は、本実施例１の処理動作を説明するためのフローチャートである。以下、この図４に示すフローチャートを参照して、本実施例１の転送先相手番号の設定処理を説明する。
【００３１】
外線から任意の着番号に対して着信があると、モデム１１０は、着番号の情報を受信して（ステップＳ１）、制御装置１０１に入力する。制御装置１０１は、受け取った着番号を解析し（ステップＳ２）、解析した着番号が、着番号登録テーブルに登録されているいずれかの着番号と一致するか否かを判断する（ステップＳ３）。
【００３２】
その結果、着番号が一致しなければ（ステップＳ３でＮｏと判断されれば）、通常の外線着信として、その後の処理を実行する（ステップＳ１５）。一方、着番号が一致した場合（ステップＳ３でＹｅｓと判断された場合）には、一旦着信を終了する（ステップＳ４）。その後、予め設定されている一定時間（例えば、３０秒等）の計測を開始する（ステップＳ５）。この一定時間の計測は、例えば制御装置１０１の図示しないタイマー機能を利用して行う。
【００３３】
そして、この一定時間の計測中に、再び着信があるか否かを確認し（ステップＳ６，Ｓ７）、一定時間内に着信がなかった場合（ステップＳ６でＮｏと判断された場合）には、そのまま処理を終了する。一方、一定時間内に着信があった場合（ステップＳ７でＹｅｓと判断された場合）には、モデム１１０は、発信者番号と着番号の情報を受信して（ステップＳ８，Ｓ９）、制御装置１０１に入力する。制御装置１０１は、受け取った発信者番号と着番号とを解析し（ステップＳ１０，Ｓ１１）、解析した着番号が、着番号登録テーブルに登録されているいずれかの着番号と一致するか否かを判断する（ステップＳ１２）。その結果、着番号が一致しなければ（ステップＳ１２でＮｏと判断されれば）、通常の外線着信として、その後の処理を実行する（ステップＳ１５）。
【００３４】
一方、着番号が一致した場合（ステップＳ１２でＹｅｓと判断された場合）には、次に、ステップＳ１０で解析した結果、発信者番号が取得できたか否かを確認する（ステップＳ１３）。例えば、相手が非通知設定になっていたり、公衆電話からの着信であった場合には、発信者番号を取得できないので（ステップＳ１３でＮｏと判断されるので）、この場合には、通常の外線着信として、その後の処理を実行する（ステップＳ１５）。
【００３５】
一方、発信者番号が取得できた場合（ステップＳ１３でＹｅｓと判断された場合）には、現在着信している発信者番号を、今後受信する（若しくは、すでに受信して内部に保存している）ファクシミリ情報の自動転送先番号として設定し（ステップＳ１４）、処理を終了する。
【００３６】
上記実施例１については、以下のような具体例を一例として挙げることができる。
【００３７】
＜具体例１＞
発信者番号登録テーブルに登録されていない発信者番号（例えば、「０９０１１２２３３４４」）から、着番号登録テーブルに登録されている着番号（例えば、「０７４２５５６７８９」）に外線着信があり、その後一定時間内に、発信者番号登録テーブルに登録されていない別の発信者番号（例えば、「０７４２９９８７６５」）から同じ着番号「０７４２５５６７８９」に外線着信があった場合に、発信者番号「０７４２９９８７６５」を転送先相手番号として設定する。
【００３８】
＜具体例２＞
発信者番号登録テーブルに登録されていない発信者番号（例えば、「０９０１１２２３３４４」）から、着番号登録テーブルに登録されている着番号（例えば、「０７４２５５６７８９」）に外線着信があり、その後一定時間内に、発信者番号登録テーブルに登録されていない別の発信者番号（例えば、「０７４２９９８７６５」）から、着番号登録テーブルに登録されている異なる着番号「０７４２５５６７９０」に外線着信があった場合に、発信者番号「０７４２９９８７６５」を転送先相手番号として設定する。すなわち、最初の着信時の着番号と２回目の着信時の着番号とが異なっている場合でも、これら着番号が着番号登録テーブルに登録されている限り、２回目の着信時の発信者番号を自動転送先番号として設定する。なお、発信者番号については、１回目（最初）も２回目も発信者番号登録テーブルに登録されているか否かを条件としないのが、本実施例１の一つの特徴である。
【実施例２】
【００３９】
図５は、本実施例２の処理動作を説明するためのフローチャートである。以下、この図５に示すフローチャートを参照して、本実施例２の転送先相手番号の設定処理を説明する。
【００４０】
外線から任意の着番号に対して外線着信があると、モデム１１０は、発信者番号と着番号の情報を受信して（ステップＳ３１，Ｓ３２）、制御装置１０１に入力する。制御装置１０１は、受け取った発信者番号と着番号とを解析し（ステップＳ３３，Ｓ３４）、解析した着番号が、着番号登録テーブルに登録されているいずれかの着番号と一致するか否かを判断する（ステップＳ３５）。その結果、着番号が、着番号登録テーブルに登録されていなければ（ステップＳ３５でＮｏと判断されれば）、通常の外線着信として、その後の処理を実行する（ステップＳ４８）。
【００４１】
一方、着番号が、着番号登録テーブルに登録されている場合（ステップＳ３５でＹｅｓと判断された場合）には、次に、解析した発信者番号が、発信者番号登録テーブルに登録されているいずれかの発信者番号と一致するか否かを判断する（ステップＳ３６）。その結果、発信者番号が一致しなければ（ステップＳ３６でＮｏと判断されれば）、通常の外線着信として、その後の処理を実行する（ステップＳ４８）。
【００４２】
一方、発信者番号が一致した場合（ステップＳ３６でＹｅｓと判断された場合）には、一旦着信を終了する（ステップＳ３７）。その後、予め設定されている一定時間（例えば、３０秒等）の計測を開始する（ステップＳ３８）。
【００４３】
そして、この一定時間の計測中に、再び着信があるか否かを確認し（ステップＳ３９，４０）、一定時間内に着信がなかった場合（ステップＳ３９でＮｏと判断された場合）には、そのまま処理を終了する。一方、一定時間内に着信があった場合（ステップＳ４０でＹｅｓと判断された場合）には、モデム１１０は、その着信に対する発信者番号と着番号の情報を受信して（ステップＳ４１，Ｓ４２）、制御装置１０１に入力する。制御装置１０１は、受け取った発信者番号と着番号とを解析し（ステップＳ４３，Ｓ４４）、解析した着番号が、着番号登録テーブルに登録されているいずれかの着番号と一致するか否かを判断する（ステップＳ４５）。その結果、着番号が、着番号登録テーブルに登録されていなければ（ステップＳ４５でＮｏと判断されれば）、通常の外線着信として、その後の処理を実行する（ステップＳ４８）。
【００４４】
一方、着番号が一致した場合（ステップＳ４５でＹｅｓと判断された場合）には、次に、ステップＳ４３で解析した結果、発信者番号が取得できたか否かを確認する（ステップＳ４６）。例えば、相手が非通知設定になっていたり、公衆電話からの着信であった場合には、発信者番号を取得できないので（ステップＳ４６でＮｏと判断されるので）、この場合には、通常の外線着信として、その後の処理を実行する（ステップＳ４８）。
【００４５】
一方、発信者番号が取得できた場合（ステップＳ４６でＹｅｓと判断された場合）には、現在着信している発信者番号を、今後受信する（若しくは、すでに受信して内部に保存している）ファクシミリ情報の自動転送先番号として設定し（ステップＳ４７）、処理を終了する。
【００４６】
上記実施例２については、以下のような具体例を一例として挙げることができる。
【００４７】
＜具体例３＞
発信者番号登録テーブルに登録されている発信者番号（例えば、「０９０１２３４５６７８」）から、着番号登録テーブルに登録されている着番号（例えば、「０７４２５５６７８９」）に外線着信があり、その後一定時間内に、別の発信者番号（発信者番号登録テーブルに登録されていない例えば「０７４２９９８７６５」）から同じ着番号「０７４２５５６７８９」に外線着信があった場合に、発信者番号「０７４２９９８７６５」を転送先相手番号として設定する。
【００４８】
＜具体例４＞
発信者番号登録テーブルに登録されている発信者番号（例えば、「０９０１２３４５６７８」）から、着番号登録テーブルに登録されている着番号（例えば、「０７４２５５６７８９」）に外線着信があり、その後一定時間内に、別の発信者番号（発信者番号登録テーブルに登録されていない例えば「０７４２９９８７６５」）から、着番号登録テーブルに登録されている異なる着番号（例えば、「０７４２５５６７９０」）に外線着信があった場合に、発信者番号「０７４２９９８７６５」を転送先相手番号として設定する。
【００４９】
すなわち、発信者番号については、１回目（最初）の発信者番号は発信者番号登録テーブルに登録されていることが条件となるが、２回目の発信者番号は発信者番号登録テーブルに登録されているか否かを条件としないのが、本実施例２の一つの特徴である。なお、着番号については、１回目、２回目共に着番号登録テーブルに登録されていることが条件となる。
【図面の簡単な説明】
【００５０】
【図１】本発明のファクシミリ装置の電気的構成を示す機能ブロック図である。
【図２】本発明のファクシミリ装置の外観図であり、（ａ）は正面側より見た斜視図、（ｂ）は背面図である。
【図３】（ａ）は、記憶装置に格納されている発信者番号登録テーブルの一例を示す説明図、（ｂ）は、記憶装置に格納されている着番号登録テーブルの一例を示す説明図である。
【図４】実施例１の転送先相手番号設定処理動作を説明するためのフローチャートである。
【図５】実施例２の転送先相手番号設定処理動作を説明するためのフローチャートである。
【符号の説明】
【００５１】
１００  ファクシミリ装置
１０１  制御装置
１０２  記憶装置
１１０  モデム
１１１  網制御装置
１１２  コードレス用制御回路
１１３  アンテナ
１１４  回線接続端子
１２０  表示制御部
１２１  表示装置
１３０  キー制御部
１３１  操作キー
１４０  印刷装置
１４１  画像読取装置
１５０  ネットワークインターフェイスカード(NIC)
１５１  ＬＡＮ接続端子
１５２  ＵＳＢ制御部
１５３  ＵＳＢ接続端子
１５４  カードコントローラ
１５５  メモリーカードスロット
３００  公衆回線網
【図１】
2008131287.tif 000003
【図２】
2008131287.tif 000004
【図３】
2008131287.tif 000005
【図４】
2008131287.tif 000006
【図５】
2008131287.tif 000007